(57)【特許請求の範囲】
【請求項１】
ユーザのキー操作による処理を無効化する無効化手段を有する携帯端末であって、
前記携帯端末は、
前記無効化手段により無効化された状態を解除された時、選択されたキー操作のみを有効とする有効化手段を有することを特徴とする携帯端末。
【請求項２】
前記有効化手段は、
前記無効化手段により無効化された状態を所定時間解除可能にする一時解除手段と、
前記所定時間中は、選択されたキー操作のみを有効にする操作制御手段とを備えることを特徴とする請求項１に記載の携帯端末。
【請求項３】
操作キーと、前記操作キーによる処理を無効化する無効化手段とを有する携帯端末であって、
前記携帯端末は、
前記無効化手段により前記操作キーによる処理が無効化された状態を、ユーザによる所定操作により所定時間解除可能にする一時解除手段と、
所定のキーに選択された処理を割り当てるプリセット手段と、
前記一時解除手段により無効化された状態が解除されている前記所定時間中は、前記プリセット手段によって前記所定のキーに割り当てられた処理のみを有効にする操作制御手段とを有することを特徴とする携帯端末。
【請求項４】
ユーザのキー操作による処理を無効化する無効化手段を有する携帯端末の操作制御方法であって、
前記操作制御方法は、
前記無効化手段により無効化された状態を解除された時、選択された処理のみを有効にする有効化ステップを有することを特徴とする操作制御方法。
【請求項５】
前記有効化ステップは、
前記無効化手段により無効化された状態を所定時間解除可能にする一時解除ステップと、
前記所定時間中は、選択された処理のみを有効にする操作制御ステップとを備えることを特徴とする請求項４に記載の操作制御方法。
【請求項６】
操作キーと、前記操作キーによる処理を無効化する無効化手段とを有する携帯端末の操作制御方法であって、
前記操作制御方法は、
前記無効化手段により前記操作キーによる処理が無効化された状態を、ユーザによる所定操作により所定時間解除可能にする一時解除ステップと、
所定のキーに選択された処理を割り当てるプリセットステップと、
前記一時解除ステップにより無効化された状態が解除されている前記所定時間中は、前記プリセットステップによって前記所定のキーに割り当てられた処理のみを有効にする操作制御ステップとを有することを特徴とする操作制御方法。
【発明の詳細な説明】
【技術分野】
【０００１】
本発明は、携帯端末に関し、特に、操作ボタンの誤操作防止機能を備える携帯端末及び操作制御方法に関する。
【背景技術】
【０００２】
ユーザが移動しながら、携帯端末の本体を鞄やポケットに入れて音楽を再生していると、携帯端末の操作ボタンが誤操作されてしまうことがある。
【０００３】
具体的には、携帯端末の操作ボタンが、鞄やポケットの中にある他の物品に誤って接触されることや、人ごみの中で鞄やポケットが外部から押されることで、誤操作が起きる。
【０００４】
そこで、従来より、携帯端末の本体や付属するリモコンに、ボタンの操作を無効にするための誤操作防止ボタンを設けることにより、上述したような誤操作の防止を図っている。詳細には、ユーザが誤操作防止ボタンをオンにすることで、携帯端末のボタンの操作が無効とされる。
【０００５】
また、ボタンの操作が無効化された状態の時に、ユーザが無効化された状態を解除したい場合には、ユーザは誤操作防止ボタンを一旦オフにする操作が必要である。
【０００６】
なお、特許文献１には、ボタンの操作を無効にする状態を一時的に解除することができる携帯電話機について開示されている。
【０００７】
【特許文献１】特開平１１−４１１６５号公報
【発明の開示】
【発明が解決しようとする課題】
【０００８】
ところで、上述のように、ユーザが、キーの操作が無効化された状態を一旦解除してしまうと、全てのキーの操作について無効化された状態が解除されてしまうため、解除後はユーザの勘違いによる誤ったキーの操作を防止することができなくなる。
【０００９】
具体的には、ユーザが音量調節や再生中の曲をスキップする操作をしたい場合に、誤操作防止キーをオフにしてキーの操作を無効にする状態を解除して、音量調節や再生中の曲のスキップといったユーザの目的の操作をせずに、ユーザが誤って違う操作をしてしまうことがあり、このようなユーザによる誤操作を防止することはできない。
【００１０】
なお、特許文献１に開示されている携帯電話機では、キーの操作が無効化された状態を一時的にユーザが解除することはできるが、全てのキーの操作について無効化された状態が解除されるため、ユーザが誤った操作キーを押してしまうことを防止することはできない。また、誤ったキーの操作を取り消すために、再度誤操作を防止する状態を解除しなくてはならなくなるため、キーの操作が煩雑となる。
【００１１】
そこで、本発明は、キーの操作が無効化されている状態を一時的に解除してユーザがキーの操作を行う場合に、ユーザの誤操作を防止することができる携帯端末を提供することを目的とする。
【課題を解決するための手段】
【００１２】
本発明の第１の携帯端末は、ユーザのキー操作による処理を無効化する無効化手段を有する携帯端末であって、前記携帯端末は、前記無効化手段により無効化された状態を解除された時、選択されたキー操作のみを有効とする有効化手段を有することを特徴とする。
【００１３】
本発明の第２の携帯端末は、ユーザのキー操作による処理を無効化する無効化手段を有する携帯端末であって、前記携帯端末は、前記無効化手段により無効化された状態を所定時間解除可能にする一時解除手段と、前記所定時間中は、選択された処理のみを有効にする操作制御手段とを有することを特徴とする。
【００１４】
本発明の第３の携帯端末は、操作キーと、前記操作キーによる処理を無効化する無効化手段とを有する携帯端末であって、前記携帯端末は、前記無効化手段により前記操作キーによる処理が無効化された状態を、ユーザによる所定操作により所定時間解除可能にする一時解除手段と、所定のキーに選択された処理を割り当てるプリセット手段と、前記一時解除手段により無効化された状態が解除されている前記所定時間中は、前記プリセット手段によって前記所定のキーに割り当てられた処理のみを有効にする操作制御手段とを有することを特徴とする。
【００１５】
本発明の第１の操作制御方法は、ユーザのキー操作による処理を無効化する無効化手段を有する携帯端末の操作制御方法であって、前記操作制御方法は、前記無効化手段により無効化された状態を解除された時、選択された処理のみを有効にする有効化ステップを有することを特徴とする。
【００１６】
本発明の第２の操作制御方法は、ユーザのキー操作による処理を無効化する無効化手段を有する携帯端末の操作制御方法であって、前記操作制御方法は、前記無効化手段により無効化された状態を所定時間解除可能にする一時解除ステップと、前記所定時間中は、選択された処理のみを有効にする操作制御ステップとを有することを特徴とする。
【００１７】
本発明の第３の操作制御方法は、操作キーと、前記操作キーによる処理を無効化する無効化手段とを有する携帯端末の操作制御方法であって、前記操作制御方法は、前記無効化手段により前記操作キーによる処理が無効化された状態を、ユーザによる所定操作により所定時間解除可能にする一時解除ステップと、所定のキーに選択された処理を割り当てるプリセットステップと、前記一時解除ステップにより無効化された状態が解除されている前記所定時間中は、前記プリセットステップによって前記所定のキーに割り当てられた処理のみを有効にする操作制御ステップとを有することを特徴とする。
【発明の効果】
【００１８】
本発明によれば、キー操作が無効化されている状態を一時的に解除してユーザがキーの操作を行う場合に、ユーザの誤操作を防止することができる携帯端末を提供することができる。
【発明を実施するための最良の形態】
【００１９】
以下、図面を参照して本発明を実施するための最良の形態について説明する。図１は、本発明の実施の形態の携帯端末を説明する説明するためのブロック図である。
【００２０】
図１を参照すると、携帯端末１０は、制御部２０と、携帯端末を操作するための複数のキーを備える操作部３０と、ユーザの操作部３０の操作による処理を無効化するキーである誤操作防止キー４０と、誤操作防止キー４０によって処理が無効化された状態（以下、誤操作防止モードとする。）を一時的に解除するキーである一時解除キー５０と、一時解除キー５０によって誤操作防止モードが一時的に解除された状態（以下、一時解除モードとする。）において操作が可能なキーであるプリセットキー６０と、タイマー７０と、記憶部８０とを有する。なお、操作部３０は、キーボードやタッチパネル、タッチパッド、マウス、ボタンといった入力機器で構成されても良い。
【００２１】
制御部２０は、記録媒体に格納されたプログラムを実行することにより、操作モード制御手段２１、タイマー制御手段２２、及び、操作制御手段２３を論理的に備える。なお、各手段の動作については後述する。ここで、操作モード制御手段２１、タイマー制御手段２２、操作制御手段２３は、それぞれ専用のハードウェアで構成されても良い。
【００２２】
次に、図２を参照して、本実施の形態の動作について説明する。図２は、本実施の形態の動作を説明するためのフローチャートである。
【００２３】
図２を参照すると、初期の操作モードは、誤操作防止モードの状態となる。操作モードが誤操作防止モードの状態の場合には、操作モード制御手段２１が、操作モードのフラグ情報であるＦの値を「０」に設定する（ステップＳ１）。
【００２４】
ここで、操作モードとは、携帯端末１０の操作制御の状態であって、ユーザのキー操作による処理を無効化する誤操作防止モードと、誤操作防止モードを所定の時間について一時的に解除する一時解除モードとの２つのモードのいずれかの状態となる。
【００２５】
また、図３に、本実施の形態における、フラグ情報のＦと、Ｆの値に対応する操作モードのテーブルを示す。図３を参照すると、Ｆの値が「０」の時に対応する操作モードは、誤操作防止モードである。
【００２６】
ステップＳ１でＦの値が「０」に設定された後、操作制御手段２３が、一時解除キー５０が押下された状態を検出すると（ステップＳ２）、次に、タイマー制御手段２２は、タイマー７０に、所定の時間の計時処理を開始させる（ステップＳ３）。
【００２７】
一方、ステップＳ２で、操作制御手段２３が、一時解除キー５０が押下された状態を検出しない場合には、ステップＳ３に移行せず、ステップＳ２に戻る（ステップＳ２）。例えば、ユーザが、一時解除キー５０ではなく、操作部３０のいずれかのキーの操作を行ったとしても、操作制御手段２３は、操作をされたキーに対応する処理を行わない。
【００２８】
ステップＳ３で計時処理が開始されると、次に、操作モード制御手段２１が、Ｆの値を「１」に設定する（ステップＳ４）。なお、図３を参照すると、Ｆの値が「１」の時に対応する操作モードは、一時解除モードである。
【００２９】
ステップＳ４でＦの値が「１」に設定された後に、操作制御手段１３が、プリセットキー６０が押下された状態を検出すると（ステップＳ５）、次に、操作制御手段１３が、プリセットキー６０に割り当てられている処理を実行する（ステップＳ６）。例えば、プリセットキー６０に再生中の楽曲をスキップする処理が割り当てられている場合には、操作制御手段２３は再生中の楽曲をスキップする処理を実行する。
【００３０】
なお、プリセットキー６０に対しては、ユーザの操作によって割り当てる処理を設定しておくことにしても良いし、予め携帯端末１０の初期状態において割り当てる処理を設定しておくことにしても良い。
【００３１】
また、本実施の形態では、プリセットキーの個数は１個としているが、複数個のプリセットキーを備え、それぞれのプリセットキーに異なる処理を割り当てても良い。
【００３２】
一方、ステップＳ５でプリセットキー６０が押下された状態を検出しなかった場合には、ステップＳ６の処理は行なわずに次のステップＳ７に進む（ステップＳ５）。例えば、ユーザが操作部３０のいずれかのキーの操作をしても、操作制御手段２３は、操作をされたキーに対応した処理を行わない。
【００３３】
ステップＳ６の処理をした後、タイマー制御手段２２は、ステップＳ３でタイマー７０による計時処理を開始した時点から所定の時間を経過しているかを確認する（ステップＳ７）。
【００３４】
ステップＳ７で、タイマー制御手段２２が、所定の時間を経過していることを確認すると、次に、操作モード制御手段２１が、Ｆの値を「０」に設定する（ステップＳ８）。なお、ステップＳ８の処理により、操作モードは、一時解除モードから誤操作防止モードに戻る。
【００３５】
一方、ステップＳ７で、タイマー制御手段２２が、所定の時間を経過していないことを確認すると、再びステップＳ５に戻る（ステップＳ７）。
【００３６】
ところで、本実施の形態では、誤操作防止モードと一時解除モードとの２つの操作モードを備えているが、ユーザの操作部３０のキー操作による処理が有効な状態である通常モードも備えることとしても良い。
【００３７】
操作モードが通常モードの場合には、ユーザの操作部３０に対するキー操作により、操作制御手段２３は、操作をされたキーに対応する処理を行なうようにすれば良い。
【００３８】
さらに、操作モードが通常モードの際に、誤操作防止キー４０が押下された状態となった場合には、操作モード制御手段２１が、操作モードを、通常モードから誤操作防止モードに移行する。
【００３９】
また、操作モードが誤操作防止モードの際に、誤操作防止キー４０が押下された状態となった場合には、操作モード制御手段２１が、操作モードを、強制的に通常モードに移行するようにしても良い。
【図面の簡単な説明】
【００４０】
【図１】本発明の実施の形態の携帯端末を説明するためのブロック図である。
【図２】本発明の実施の形態の携帯端末の動作を説明するためのフローチャートである。
【図３】本発明の実施の形態のフラグ情報と対応する操作モードのテーブルを示す一例である。
【符号の説明】
【００４１】
１０  携帯端末
２０  制御部
２１  操作モード制御手段
２２  タイマー制御手段
２３  操作制御手段
３０  操作部
４０  誤操作防止キー
５０  一時解除キー
６０  プリセットキー
７０  タイマー
８０  記憶部
【図１】
0004853441.tif 000002
【図２】
0004853441.tif 000003
【図３】
0004853441.tif 000004